(57)【要約】  ＰＣＢベース（１）、このＰＣＢベースに接続された少なくとも１つのＰＣＢ支持体（２）、このＰＣＢ支持体（２）に接続された照明アセンブリ（４）、ならびにＰＣＢベース（１）の導電線に接続された少なくとも１つの光源および電源を備えるランプ（１００）。【選択図】図１
2015527712.tif 000002
【特許請求の範囲】
【請求項１】
−  ＰＣＢベース（１）、
−  前記ＰＣＢベース（１）に接続された少なくとも１つのＰＣＢ支持体（２）、および
−  前記ＰＣＢ支持体（２）に接続され、少なくとも１つの光源（５）を備える照明アセンブリ（４）
を備えるランプであって、
前記ＰＣＢベース（１）は２つの導電線（１７、１８）を備え、該導電線は、電源に接続され、前記少なくとも１つのＰＣＢ支持体（２）の該当する方の第１の電気接触部（２６ａ）と接触している２つの電気接触部（Ｍ１、Ｍ２）で終わり、
前記少なくとも１つのＰＣＢ支持体（２）は、前記ＰＣＢ支持体の前記第１の電気接触部（２６ａ）に接続されて前記ＰＣＢ支持体の第２の電気接触部（２６ｂ）で終わっている少なくとも１つの導電線（２３）を備え、
前記少なくとも１つのＰＣＢ支持体の前記第２の電気接触部（２６ｂ）は、前記照明アセンブリ（４）の該当する方の電気接触部に電気的に接触し、
前記ＰＣＢベース（１）の前記電気接触部および前記少なくとも１つのＰＣＢ支持体（２）の電気接触部（Ｍ１、Ｍ２、２６ａ、２６ｂ）は、前記ＰＣＢベースの孔（１９）の周囲および前記ＰＣＢ支持体の第１の孔（２５ａ）および第２の孔（２５ｂ）の周囲に設けられた導電性の金属被覆部であり、互いに接触して前記ＰＣＢベースの前記線と前記ＰＣＢ支持体の前記線との間の前記電気接触を確立する、
ランプ（１００）。
【請求項２】
前記ＰＣＢベースの前記孔（１９）および前記少なくとも１つのＰＣＢ支持体の前記第１の孔（２５ａ）に挿入されたねじを切った栓（６０）、ならびにねじを切った孔が設けられた少なくとも１つのピン（６）を備え、前記栓（６０）はねじ締めされ、前記ねじを切った栓（６０）および前記少なくとも１つのピン（６）は非導電性材料で作製される、請求項１に記載のランプ（１００）。
【請求項３】
前記少なくとも１つのＰＣＢ支持体（２）と前記照明アセンブリ（４）との間に構成されたＰＣＢ接続部（３）も備え、前記ＰＣＢ接続部（３）は、前記少なくとも１つのＰＣＢ支持体の前記電気接触部（２６ｂ）と接触している２つの電気接触部（Ｍ３、Ｍ４）に接続された２つの導電線（３２、３３）を具備し、前記導電線（３２、３３）は、前記照明アセンブリの前記電気接触部に結合している前記ＰＣＢ接続部の２つの電気接触部で終わり、前記ＰＣＢ接続部（３）の前記電気接触部（Ｍ３、Ｍ４）および前記少なくとも１つのＰＣＢ支持体の前記電気接触部（２６ｂ）は、前記ＰＣＢ接続部の孔（３５）の周囲および前記少なくとも１つのＰＣＢ支持体の前記第２の孔（２５ｂ）の周囲に設けられた金属被覆部である、請求項１または２に記載のランプ（１００）。
【請求項４】
前記ＰＣＢ接続部（３）の前記孔（３５）および前記少なくとも１つのＰＣＢ支持体の前記第２の孔（２５ａ）に挿入されたねじ（９）、ならびにねじを切った孔が設けられ、該孔に前記ねじ（９）がねじ締めされる１つの金属リング（９０）も備え、前記ねじ（９）および前記金属リング（９０）は、非導電性材料で作製される、請求項３に記載のランプ（１００）。
【請求項５】
前記ＰＣＢベース（１）に支持され、前記照明アセンブリ（４）の電源として作用する集積回路（Ｉ）も備え、前記集積回路（Ｉ）は、前記ＰＣＢベースの前記導電線（１７、１８）に接続された出力部を備える、請求項１〜４のうちいずれか一項に記載のランプ（１００）。
【請求項６】
２つのＰＣＢ支持体（２）を備え、各ＰＣＢ支持体（２）は、前記第１の電気接触部（２６ａ）を前記第２の電気接触部（２６ｂ）に接続する単一の導電線（２３）を具備している、請求項１〜５のうちいずれか一項に記載のランプ（１００）。
【請求項７】
前記ＰＣＢベース（１）は、両面仕様タイプのものであり、表側（１０）および裏側（１１）を備え、前記表側（１０）には第１の導電線（１７）が設けられ、前記裏側（１１）には第２の導電線（１８）が設けられる、請求項１〜６のうちいずれか一項に記載のランプ（１００）。
【請求項８】
前記ＰＣＢ接続部（３）は、両面仕様タイプのものであり、表側（３０）および裏側（３１）を備え、前記表側（３０）には第１の導電線（３２）が設けられ、前記裏側（３１）には第２の導電線（３３）が設けられる、請求項１〜７のうちいずれか一項に記載のランプ（１００）。
【請求項９】
前記照明アセンブリ（４）は、パッド（７２）を備えるＰＣＢ（７）を備え、前記照明アセンブリには、前記少なくとも１つの光源（５）および前記パッド（７２）に接続している導電線（７３）が取り付けられる、請求項１〜８のうちいずれか一項に記載のランプ（１００）。
【請求項１０】
前記ＰＣＢベース（１）は、前記少なくとも１つの光源（５）のスイッチをオン・オフにするためのスイッチ（Ｗ）を備え、該スイッチは、前記ＰＣＢベース（１）に組み込まれたタッチボタンとして設けられる、請求項１〜９のうちいずれか一項に記載のランプ（１００）。
【発明の詳細な説明】
【技術分野】
【０００１】
工業発明に対する本特許出願は、プリント回路基板を備えるランプに関する。
【背景技術】
【０００２】
市場では様々な種類のランプが知られ、光源に給電するのに使用するケーブルが見えないように設計されている。
【０００３】
米国特許第３，７９０，７７３号明細書には、軸および複数のアームを有し、アームどうしが互いに連結して連続的に配置されているランプが開示されている。ランプの各アームは、中間点でそれに続くアームに関節式に連結されている。
【０００４】
前記ランプは、軸に対して離れた位置に末端アームを備えている。この末端アームには、第１の端部および第２の端部が備わっている。末端アームの第１の端部は、光源およびそれに関連する付属品を支持している。末端アームの第２の端部は、光源および前記付属品の重さを均衡に保つように構成された釣り合い重りを支持している。
【０００５】
先行技術によるこの種のランプは、生産費および設備費が高く、金属材料を使用するために重く、アームが過熱され、アーム内部の電気接触が正しくないことに関連するいくつかの欠点があることが問題である。
【０００６】
独国特許第３９０３２０２号明細書には、平坦なプレート形の支持体が設けられたランプが開示されている。それぞれの平坦な支持体は、導電材料製の２つのプレートの間に構成された絶縁材料製プレートを備えている。この種の平坦な支持体は、プリント回路基板（ＰＣＢ）ではない。導電材料製のプレートは、ＰＣＢプリント回路を構成する典型的な銅線ではない。その上、このような平坦な支持体には、「パッド」として知られているＰＢＣの典型的な金属被覆孔のような導電性の金属被覆部が備わっていない。
【０００７】
その結果、２つの平坦な支持体をヒンジで連結するには以下の作業が必要である。
−  それぞれの平坦な支持体に孔を設ける。
−  孔に絶縁ブッシュを挿入する。
−  絶縁ブッシュに導電性ピンを挿入して２つの導電性プレートを外部の位置で電気接触させる。
−  絶縁ブッシュの上に導電性リングを配置して２つの導電性プレートを内部の位置で電気接触させる。
【０００８】
このようなタイプの接続には、特に導電性ピンが備わっていなければならないため、複雑で信頼性があまり高くないことは明らかに思われる。
【先行技術文献】
【特許文献】
【０００９】
【特許文献１】米国特許第３，７９０，７７３号明細書
【特許文献２】独国特許第３９０３２０２号明細書
【発明の概要】
【発明が解決しようとする課題】
【００１０】
本発明の目的は、極めて扱いやすく点灯しやすく、安価で作製が容易なランプを考案することで、前述した先行技術の欠点を解消することである。
【００１１】
本発明のもう１つの目的は、光源に給電するようにできている電気接触部がすべて、簡易で確実な方法で作製されるランプを提供することである。
【００１２】
これらの目的は、本発明に従って達成され、その特徴は、添付の独立請求項１で特許請求されている。
【００１３】
有利な実施形態は、従属請求項で明らかになる。
【課題を解決するための手段】
【００１４】
本発明のランプは、ＰＣＢベース、このＰＣＢベースに接続された少なくとも１つのＰＣＢ支持体、このＰＣＢ支持体に接続され、少なくとも１つの光源を備える照明アセンブリを備えている。
【００１５】
ＰＣＢベースは２つの導電線を備え、両導電線は、電源に接続され、前記少なくとも１つのＰＣＢ支持体の該当する方の第１の電気接触部と接触している２つの電気接触部で終わっている。
【００１６】
前記少なくとも１つのＰＣＢ支持体は、ＰＣＢ支持体の前記第１の電気接触部に接続されてＰＣＢ支持体の第２の電気接触部で終わっている少なくとも１つの導電線を備えている。前記少なくとも１つのＰＣＢ支持体の前記第２の電気接触部は、前記照明アセンブリの該当する方の電気接触部に電気的に接触している。
【００１７】
ＰＣＢベースの電気接触部および前記少なくとも１つのＰＣＢ支持体の電気接触部は、ＰＣＢベースの孔の周囲およびＰＣＢ支持体の第１の孔および第２の孔の周囲に設けられた導電性の金属被覆部であり、互いに接触してＰＣＢベースの線とＰＣＢ支持体の線との間の電気接触を確立する。
【００１８】
本発明のランプの利点は明瞭である。実際このランプは、プリント回路基板を使用して支持体のフレームを作製すると同時に、電源ユニットから照明アセンブリへ電流を伝送する。
【００１９】
有利には、前記プリント回路基板によって、このランプは先行技術のランプよりも軽く、小さく、低コストになるとともに、電流の伝送が確実になり、電気接触の絶縁が確実になる。
【００２０】
特に、プリント回路基板上の孔の金属被覆部は、２つの基板の間の電気接触部として使用される。これによって、組み立てがいっそう簡易かつ迅速になり、２つの基板を接続するのに導電性ピンを使用することで起きる安全性および信頼性面での問題を回避する。
【００２１】
本発明のその他の特徴は、非限定的な単なる例示として添付の図面に示した実施形態に言及した以下の詳細な説明文から明らかになるであろう。
【図面の簡単な説明】
【００２２】
【図１】本発明のランプの不等角投影図である。
【図２】図１のランプの様々な部品の展開斜視図である。
【図３】図１のランプの様々な部品の展開平面図である。
【図４】図３の３つの部品を図３の反対側から見た様子を示す平面図である。
【図４Ａ】図４の一部の拡大図であり、金属被覆部のパッドを示す図である。
【図５】図１のランプの一部の斜視図である。
【図６】図４Ａの切断面ＶＩ−ＶＩに沿った断面図である。
【図７】図４の切断面ＶＩＩ−ＶＩＩに沿った断面図である。
【発明を実施するための形態】
【００２３】
図１〜図３を参照すると、本発明のランプ（１００）は、プリント回路基板（ＰＣＢ）ベース（１）、２つのＰＣＢ支持体（２）、１つのＰＣＢ接続部（３）、および光源（５）（図５）を具備した１つの照明アセンブリ（４）を備えている。
【００２４】
ＰＣＢベース（１）、２つのＰＣＢ支持体（２）およびＰＣＢ接続部（３）は、照明アセンブリ（４）の支持フレームを形成する。
【００２５】
前記ＰＣＢベース（１）は、ユーザがアクセスできる表側（１０）および裏側（１１）を備えている。さらに、ＰＣＢベース（１）は、円形部分（１２）および実質的に長方形の区画を有する細長い部分（１３）を備えている。
【００２６】
ＰＣＢベース（１）の円形部（１２）の裏側（１１）には電子回路（Ｉ）が取り付けられ、この電子回路は電源ユニットを用いて照明アセンブリ（４）に給電する。前記電子回路（Ｉ）はカバー（１４）で覆われている。
【００２７】
電気コード（１５）がカバー（１４）を貫通して電子回路（Ｉ）に接続されている。電気コード（１５）は、電気コンセントに接続するためのプラグ（１６）を備えている。
【００２８】
電子回路（Ｉ）は任意で備える。備える場合、電力コード（１５）は、ＰＣＢベース（１）のプリント回路に直接接続される。
【００２９】
図５を参照すると、光源（５）は少なくとも１つのＬＥＤを備えている。このような場合、照明アセンブリ（４）に給電するのに使用される集積回路（Ｉ）は、コンセントの交流電流を直流電流に変換してＬＥＤ（５）に給電する変換器を具備している。
【００３０】
光源（５）は、白熱灯、ハロゲンランプまたはガス放電ランプを備えていてもよい。このような場合、集積回路（Ｉ）はこの種の光源に対して電力を供給する。
【００３１】
電気コード（１５）およびプラグ（１６）の代わりに、カバー（１４）内部に構成されて集積回路（Ｉ）に接続された電池を介して照明アセンブリ（４）に電力を供給することができる。
【００３２】
集積回路（Ｉ）は、プラスの電力出力部およびマイナスの電力出力部を備え、両出力部は、ＰＣＢベース（１）に設けられたプラス線（１７）およびマイナス線（１８）にそれぞれ接続されている。線（１７、１８）は一般に銅製で、プリント回路基板の一部を形成する。
【００３３】
有利には、ＰＣＢベース（１）は両面仕様である。つまり、２つのプリント回路が表側（１０）と裏側（１１）とにそれぞれ設けられ、（図６および図７に示したように）その間は絶縁層（２００）で絶縁されている。このような場合、プラス線（１７）は、ＰＣＢベースの表側（１０）に設けられたプリント回路の一部であり、マイナス線（１８）はＰＣＢベースの裏側（１１）にあるプリント回路である。
【００３４】
前記ＰＣＢベース（１）の表側（１０）の円形部（１２）は、ユーザが手動で操作してランプ（１００）のスイッチをオン・オフにするようになっているスイッチ（Ｗ）を具備している。例えば、スイッチ（Ｗ）は、電源のプラス線（１７）を開閉する。有利には、前記スイッチ（Ｗ）はタッチボタンである。
【００３５】
ＰＣＢベース（１）は、細長い部分（１３）上の円形部（１２）に近い所に構成された孔（１９）を有する。ＰＣＢベース（１）のプラス線（１７）およびマイナス線（１８）は、孔（１９）で終わっている。
【００３６】
図４Ａおよび図６を参照すると、孔（１９）は２つの金属被覆部（Ｍ１、Ｍ２）を有し、この金属被覆部は通常「パッド」と定義され、それぞれがプラス線（１７）およびマイナス線（１８）に接続されている。パッド（Ｍ１、Ｍ２）は、表側（１０）および裏側（１１）にある孔（１９）を包囲している導電材料製のリングである。もちろん、金属被覆部（Ｍ１、Ｍ２）は、短絡を回避するために絶縁される。実際、ＰＣＢの絶縁材（２００）は、金属被覆部（Ｍ１、Ｍ２）の絶縁になる。
【００３７】
各ＰＣＢ支持体（２）は、外部に向いている外側（２０）および内側（２１）を備えている。２つのＰＣＢ支持体（２）の内側（２１）どうしは対面する状態にある。
【００３８】
各ＰＣＢ支持体（２）は、片面仕様のプリント回路基板である。つまり。プリント回路は基板の内側（２１）のみに設けられる。特に、各ＰＣＢ支持体（２）は、内側（２１）に導電線（２３）を具備している。
【００３９】
もちろん、両面仕様のＰＣＢ支持体（２）を１つのみ具備してもよく、この場合、２つの導電線（２３）は、ＰＣＢ支持体の２つの面に設けられる。その代わりに、ＰＢＣ支持体は片面仕様タイプのものであってもよく、そのような場合、２つの導電線（２３）は同じ面に設けられて絶縁される。
【００４０】
各ＰＣＢ支持体（２）は、実質的に長方形の細長い形状であり、下端（２４ａ）および上端（２４ｂ）を備えている。
【００４１】
各ＰＢＣ支持体（２）には２つの孔（２５ａ、２５ｂ）が設けられ、両孔は、ＰＣＢ支持体の下端（２４ａ）および上端（２４ｂ）の近辺にそれぞれ構成されている。各ＰＣＢ支持体の下端および上端に構成されている孔（２５ａ、２５ｂ）は、電気接触部として作用するパッド（２６ａ、２６ｂ）を具備している。各ＰＣＢ支持体の２つの孔のパッド（２６ａ、２６ｂ）は線（２３）に接続されている。
【００４２】
ＰＣＢベース（１）は、２つのＰＣＢ支持体の下端（２４ａ）どうしの間に構成され、ＰＣＢベースのパッド（Ｍ１、Ｍ２）がＰＣＢ支持体のパッド（２６ａ）と接触するようになっている。以上のことから、各ＰＣＢ支持体の下端（２４ａ）近くのパッド（２６ａ）は、ＰＣＢベース（１）のパッド（Ｍ１、Ｍ２）からＰＣＢ支持体（２）の導電線（２３）に電流を伝送するための電気接触部として作用する。
【００４３】
図２を参照すると、２つのＰＣＢ支持体（２）は、前記ＰＣＢベース（１）の細長い部分（１３）の孔（１９）およびＰＣＢ支持体の下端の孔（２５ａ）に挿入されているねじを切った栓（６０）を介してＰＣＢベース（１）に固定されている。
【００４４】
２つの導電性ワッシャ（Ｒ）が、ＰＣＢベースの孔のパッド（Ｍ１、Ｍ２）と２つのＰＣＢ支持体のパッド（２６ａ）との間に構成されている。前記ワッシャ（Ｒ）は、電導性を向上させると同時に、２つのＰＣＢ支持体（２）に対するＰＣＢベース（１）の固定を強化して、両者の間に相対的な回転が起こるのを回避する働きをする。
【００４５】
２つの筒状ピン（６）は、栓（６０）の上からねじ締めされ、ＰＣＢ支持体（２）に加圧してＰＣＢベースのパッド（Ｍ１、Ｍ２、２６ａ）とＰＣＢ支持体とワッシャ（Ｒ）との間に電気接触を起こすようになっている。筒状ピン（６）は、ＰＣＢ支持体（２）を境に逆方向に突出し、ＰＣＢベース（１）と筒状ピン（６）とを組み立てた際にランプ（１００）の支持ベースとして作用する十字を水平面に形成するようになっている。有利には、電気接触はパッド（Ｍ１、Ｍ２、２６ａ）で実現されるため、栓（６０）およびピン（６）は非導電性材料で作製されてよい。
【００４６】
ＰＣＢ接続部（３）は、実質的にＬ字型であり、表側（３０）および裏側（３１）を備えている。
【００４７】
有利には、前記ＰＣＢ接続部（３）は両面仕様である。つまり、表側（３０）に導電線（３２）、裏側（３１）に導電線（３３）が設けられる。導電線（３２、３３）は、絶縁層で絶縁されている。
【００４８】
ＰＣＢ接続部（３）は、前記ＰＣＢ支持体（２）の上端（２４ｂ）どうしの間に構成された第１の端部（３４）を有する。
【００４９】
特に、ＰＣＢ接続部（３）の前記端部（３４）には孔（３５）が設けられ、この孔は、ＰＣＢ支持体（２）の上端（２４ｂ）にある孔（２５ｂ）と正しく合うように配置されている。
【００５０】
図７を参照すると、ＰＣＢ接続部の孔（３５）は２つのパッド（Ｍ３、Ｍ４）を具備し、このパッドはそれぞれ、ＰＣＢ接続部の表側（３０）の線（３２）および裏側の線（３３）に接続されている。パッド（Ｍ３、Ｍ４）は、表側（３０）および裏側（３１）にある孔（３５）を包囲する導電性材料でできたリングである。もちろん、パッド（Ｍ３、Ｍ４）は短絡を回避するために絶縁されている。
【００５１】
ＰＣＢ接続部のパッド（Ｍ３、Ｍ４）は、２つのＰＣＢ支持体の孔（２５ｂ）の中で終わっている導電線（２３）を介して送られた電流を受け取る。
【００５２】
２つのＰＣＢ支持体（２）は、ＰＣＢ接続部（３）の孔（３５）およびＰＣＢ支持体の上端の孔（２５ｂ）に挿入されたねじ（９）を介してＰＣＢ接続部（３）に固定されている。ねじ（９）は、頭部およびねじを切った軸部を有し、この軸部は金属リング（９０）のねじを切った孔の中にねじ締めされる。このようにして、２つのＰＣＢ支持体（２）は、ねじ（９）の頭部と金属リング（９０）との間で加圧される。
【００５３】
２つの導電性ワッシャ（Ｒ）は、ＰＣＢ接続部の孔のパッド（Ｍ３、Ｍ４）と２つのＰＣＢ支持体のパッド（２６ｂ）との間に構成される。ねじ（９）を金属リング（９０）の中にねじ締めすることによって、ＰＣＢ支持体（２）はＰＣＢ接続部（３）に対して加圧され、ＰＣＢ接続部のパッド（Ｍ３、Ｍ４、２６ｂ）とＰＣＢ支持体とワッシャ（Ｒ）との間で電気接触を起こすようになっている。
【００５４】
有利には、ねじ（９）および金属リング（９０）は、金属被覆部（Ｍ３、Ｍ４、２６ｂ）どうしの間の接触によって電気接触が起こるため、非導電性材料で作製されてよい。
【００５５】
栓（６０）、ピン（６）、ねじ（９）および金属リング（９０）が非導電性材料で作製されているということが、ランプを安全かつ確実に改良するのに貢献する。
【００５６】
ＰＣＢ接続部（３）には、２つのパッドを有するノッチ（３６）が設けられ、両パッドは、ＰＣＢ接続部の２つの線（３２、３３）にそれぞれ接続されている。前記ノッチ（３６）は、照明アセンブリ（４）に接続するために使用される。
【００５７】
照明アセンブリ（４）は、光源（５）を支持するためのＰＣＢ（７）を備えている。照明アセンブリのＰＣＢ（７）は、光源（５）が構成されている表側（７０）、および外から見えるようになっている裏側（７１）を備えている。照明アセンブリのＰＣＢ支持体（７）は片面仕様で、表側（７０）のみにプリント回路が具備されている。しかしながら、ＰＣＢ（７）は両面仕様であってもよい。
【００５８】
特に、ＰＣＢ（７）の表側（７０）に設けられた前記プリント回路はパッド（７２）を備え、このパッドには、ＬＥＤ（５）および前記パッド（７２）に接続している導電線（７３）が取り付けられている。
【００５９】
照明アセンブリのＰＣＢ（７）は、２つの金属被覆部を有するノッチ（７４）を備え、両金属非腹部は絶縁され、照明アセンブリのＰＣＢ（７）の線（７３）に接続されている。以上のことから、ＰＣＢ接続部のノッチ（３６）と照明アセンブリＰＣＢのノッチ（７４）とを結合させることで、ＰＣＢ接続部のノッチ（３６）の２つの金属被覆部は、照明アセンブリＰＣＢのノッチ（７４）の２つの金属被覆部と接触し、半田付けされる。
【００６０】
その結果、ＰＣＢ接続部（３）の導電線（３２、３３）から照明アセンブリ（４）のＰＣＢ（７）のプリント回路に設けられた導電線（７３）へ電流が流れる。任意選択として、ランプ（１００）は、ＰＣＢ接続部（３）を照明アセンブリＰＣＢ（７）に接続するようにできているブラケット（８）を備えていてよい。ブラケット（８）は、絶縁材製でなければならず、ＰＣＢ接続部（３）から照明アセンブリＰＣＢ（７）へ給電するための電流を伝送するために２つの導電線または電気配線を備えていなければならない。
【００６１】
例えば、ブラケット（８）は長方形で、２つの端部を有する。ブラケット（８）の両端部はノッチ（８０）および（８１）を具備し、両ノッチはそれぞれ、ＰＣＢ接続部および照明アセンブリＰＣＢのノッチ（３６、７４）と結合するようにできている。
【００６２】
ブラケットの各ノッチ（８０、８１）は２つの金属被覆部を有し、両金属被覆部は絶縁され、ブラケットの２つの導電線に接続されている。
【００６３】
このようにする代わりに、照明アセンブリＰＣＢ（７）ではなく、白熱灯またはハロゲンランプ用の普通のランプホルダを設けてもよい。
【００６４】
本発明の実施形態には、添付の請求項に記載した本発明の範囲内に収まっている限り、当業者が到達する範囲内で多くの変形および修正を加えてよい。
【図１】
2015527712.tif 000003
【図２】
2015527712.tif 000004
【図３】
2015527712.tif 000005
【図４】
2015527712.tif 000006
【図４Ａ】
2015527712.tif 000007
【図５】
2015527712.tif 000008
【図６】
2015527712.tif 000009
【図７】
2015527712.tif 000010
【国際調査報告】
2015527712.tif 000011
2015527712.tif 000012